(57)【要約】【課題】反応時間の向上及び高輝度を実現できるように反射板が装着されたブリンクバックライト構造を有する液晶表示装置のバックライトユニット構造を提供する。【解決手段】液晶表示パネル２５下部に装着される液晶表示装置の直下型のバックライトユニット構造において、液晶表示パネル２５下部に装着されるランプ２３と、前記ランプ２３の外周囲を取り囲むように回転自在に装着され、その一部分に開口部が形成され、該開口部により液晶表示パネル２５下部に光を集中させる反射板２７とを有して構成される。【選択図】図３
2004087489.tif 000002
【特許請求の範囲】
【請求項１】
　液晶表示パネル下部に装着される液晶表示装置の直下型のバックライトユニット構造において、
　液晶表示パネル下部に装着されるランプと、
　前記ランプの外周囲を取り囲むように回転自在に装着され、その一部分に開口部が形成され、該開口部により液晶表示パネル下部に光を集中させる反射板とを有して構成されることを特徴とする液晶表示装置のバックライトユニット構造。
【請求項２】
　前記ランプと反射板とが一体に構成され、反射板とランプが共に回転するようにして、前記反射板に形成された前記開口部により液晶表示パネル下部に光を集中させることを特徴とする請求項１に記載の液晶表示装置のバックライトユニット構造。
【請求項３】
　前記ランプと反射板とが一体に構成されたものは、ランプのブリンク（ｂｌｉｎｋ）回転速度がゲート信号のスキャニング速度と同期させることができる構造で構成されていることを特徴とする請求項２に記載の液晶表示装置のバックライトユニット構造。
【請求項４】
　前記反射板とランプが共に回転するように前記バックライトユニットに回転駆動装置を装着して、ランプと反射板を回転させることを特徴とする請求項２に記載の液晶表示装置のバックライトユニット構造。
【請求項５】
　前記バックライトユニットで、前記反射板は、ランプとは独立した構造で形成、配置した後に、ランプとは独立して反射板を回転させる構造で構成されることを特徴とする請求項１に記載の液晶表示装置のバックライトユニット構造。
【請求項６】
　前記反射板は、反射板に反射された光の方向が、ゲート信号が印加されるゲートライン直下を照らすことができる方向となるような回転速度を有していることを特徴とする請求項５に記載の液晶表示装置のバックライトユニット構造。
【請求項７】
　前記バックライトユニットに、反射板を個別に回転させるように回転駆動装置を装着して、反射板を回転させることを特徴とする請求項５に記載の液晶表示装置のバックライトユニット構造。
【請求項８】
　前記バックライトユニットの作動時にランプが点灯し、バックライトユニットの停止時にランプが消灯することを特徴とする請求項１に記載の液晶表示装置のバックライトユニット構造。
【発明の詳細な説明】
【技術分野】
【０００１】
　本発明は、液晶表示装置のバックライトユニットに関するものであり、より詳細には反応時間向上及び高輝度を実現できるように反射板があるブリンク（ｂｌｉｎｋ）バックライト構造を有する液晶表示装置のバックライトユニット構造に関するものである。
【背景技術】
【０００２】
　液晶表示装置において、反応時間を向上させるためには高速応答用の液晶を使用する技術が一般的に行われている。また、一般的なＴＮ（Ｔｗｉｓｔｅｄ　Ｎｅｍａｔｉｃ）構造よりＶＡ（Ｖｅｒｔｉｃａｌ　Ａｌｉｇｎｍｅｎｔ）、ＩＰＳ（Ｉｎ−Ｐｌａｎｅ　Ｓｗｉｔｃｈｉｎｇ）、ＯＣＢ（Ｏｐｔｉｃａｌ　Ｃｏｍｐｅｎｓａｔｅｄ　Ｂｅｎｄ）などのような構造で向上された反応時間（ＲＴ）を実現できる。このような液晶表示パネル構造の以外にＣＣＤ駆動方法のように駆動上で反応時間を向上させることもできる。
【０００３】
　上記した色々な応答速度を向上させる技術を使用したとしてもＣＲＴのような反応時間を実現することはなかなか困難である。
【０００４】
　その理由は、ＣＲＴのディスプレイ原理がインパルスライト−エミッションシステム（ｉｍｐｕｌｓｅ　ｌｉｇｈｔ−ｅｍｉｔｉｏｎ　ｓｙｓｔｅｍ）であるためである。すなわち、１フレーム（１６．７ｍｓ、６０Ｈｚ）の間に１度の発光（２〜３ｍｓ）をしてディスプレイをする。
【０００５】
　しかし、液晶表示装置は１フレームの間、持続的に発光（１６．７ｍｓ）をするためにＣＲＴに比べてボヤケ（ｂｌｕｒｒｉｎｇ）現象が発生する。特に、動く動画像である場合、映像信号とユーザーの目との不適合な（ｍｉｓｍａｔｃｈ）現象がひどく発生する。この現象は液晶表示装置だけでなくＰＤＰ（Ｐｌａｓｍａ　Ｄｉｓｐｌａｙ　Ｐａｎｅｌ）、ＥＬ（ＥｌｅｃｔｒｏＬｕｍｉｎｅｓｃｅｎｃｅ）ディスプレイのように持続的な（ｓｔｅａｄｙ）光放出方法を使用するディスプレイ装置に共通した現象である。
【０００６】
　図１は、従来技術による液晶表示装置のブリンクバックライトであり、（ａ）は平面図、（ｂ）は（ａ）のＩｂ−Ｉｂ線による断面図である。
　図１の（ａ）及び（ｂ）に示すように、複数のランプ１３を有するバックライトユニット１１をディスプレイパネル１５下に設置した後にＣＲＴディスプレイと似た原理である順次的な点滅を実施してインパルスシステム（ｉｍｐｕｌｓｅ　ｓｙｓｔｅｍ）を具現する。
【０００７】
　この時、満足できる程度のディスプレイ画質を得るためにはゲート信号と同時に同期化するようにランプのオン／オフを実行する。言い換えると、図２に示すように、ゲートラインに信号が印加されるライン下に位置しているバックライトユニット１１のランプ１３が動作状態（ｏｎ　ｓｔａｔｅ）になり、信号がそのゲートラインから移動すると停止状態（ｏｆｆ　ｓｔａｔｅ）となる。すなわち、バックライトユニット１１のランプ１３の動作状態はディスプレイ上で上から下に漸進的に移動していくことになる（例えば、非特許文献１参照）。
【０００８】
　上記非特許文献１での資料によると、６個のランプを有するブリンクバックライトシステムで順次点滅方式を使用する場合、持続的にランプをつけて置いたシステムに比べて約１６％ほど輝度が減少し、ランプ−オン状態時間（ｄｕｔｙ　ｔｉｍｅ）を６０％に設定しておくならば６０％の輝度を達成できる。
【０００９】
　しかしながら、オン状態時間を小さく持っていけばいくほど動画像はさらに鮮明になるが輝度が低下してしまうというトレード−オフ（ｔｒａｄｅ−ｏｆｆ）関係が形成される。上記非特許文献１での資料によると、液晶表示装置での動画像の画面のボヤケ（ｂｌｕｒｒｉｎｇ）現象を改善するためには、最小ランプ−オン状態時間は７０％以上に設定されなければ改善効果がないとして報告されている。
【００１０】
　また、一般的な発光体（Ｃａｔｈｏｄｅ　Ｆｌｕｏｒｅｓｃｅｎｔ　Ｌａｍｐ：ＣＦＬ）のランプではチューブ電流が高いほどランプの温度が上がってしまい、逆に輝度効率を低下させてしまうという問題があった。
【００１１】
　しかし、ブリンクバックライトシステム（ｂｌｉｎｋ　ｂａｃｋ　ｌｉｇｈｔ　ｓｙｓｔｅｍ）の下であれば、ランプのオフ状態がランプの温度上昇を防止するために、恒常的な動作状態（ｓｔｅａｄｙ　ｏｎ　ｓｔａｔｅ）にあるランプに比べてチューブ電流を上げられる余地があって輝度を上昇させることができる。
【００１２】
【非特許文献１】「液晶」、日本液晶学会誌、日本液晶学会事務局、２００２年、第６巻、第１号、ｐ４２〜ｐ５０
【発明の開示】
【発明が解決しようとする課題】
【００１３】
　そこで、本発明は上記従来の液晶表示装置のバックライトユニット構造における問題点に鑑みてなされたものであって、本発明の目的は、反応時間の向上及び高輝度を実現できるように反射板が装着されたブリンクバックライト構造を有する液晶表示装置のバックライトユニット構造を提供することにある。
【課題を解決するための手段】
【００１４】
　上記目的を達成するためになされた本発明による液晶表示装置のバックライトユニット構造は、液晶表示パネル下部に装着される液晶表示装置の直下型のバックライトユニット構造において、液晶表示パネル下部に装着されるランプと、前記ランプの外周囲を取り囲むように回転自在に装着され、その一部分に開口部が形成され、該開口部により液晶表示パネル下部に光を集中させる反射板とを有して構成されることを特徴とする。
【発明の効果】
【００１５】
　本発明による液晶表示装置のバックライトユニット構造によれば、本発明の反射板があるブリンクバックライトを適用することにより応答速度を改善して既存のＣＲＴと近似した動画像の画面品質に高めることができ、さらに高輝度も実現することができる。
【発明を実施するための最良の形態】
【００１６】
　次に、本発明に係る液晶表示装置のバックライトユニット構造を実施するための最良の形態の具体例を図面を参照しながら説明する。
【実施例１】
【００１７】
　図３の（ａ）は、本発明に係る第１の実施例による反射板があるブリンクバックライトユニットの平面図であり、図３の（ｂ）は、図３（ａ）のＩＩＩｂ−ＩＩＩｂ線による断面図であり、図３の（ｃ）は、図３（ｂ）のＡ部の拡大断面図である。
　図４は、本発明による液晶表示装置のブリンクバックライトユニットにおいて、時間経過による光の方向及びディスプレイ領域の変化を説明するための図である。
【００１８】
　また、図５は、本発明による反射板があるブリンクバックライトの詳細を示す斜視図である。
【００１９】
　本発明ではブリンクバックライトシステムで、オン状態時間（ｄｕｔｙ　ｔｉｍｅ）を減らすことができることによって、鮮明な動画像を得ることができるという点に着眼して、輝度の低下なしにオン状態の時間を減らすことができる方法を提案した。
　本発明による液晶表示装置のバックライトユニット構造は、図３（ａ）乃至（ｃ）、図４、及び図５に示すように、ディスプレイパネル２５下に設置したバックライトユニット２１において、反射板２７を同心円上の一定領域程度離隔させてバックライトランプ２３と一体になるよう設置した後に、回転駆動装置３１によりバックライトランプ２３と共に回転させる。ここで、未説明符号２９はディスプレイ領域である。
【００２０】
　この時、バックライトランプ２３の回転速度は、ゲート信号のスキャニング速度と一致させることが重要である。すなわち、信号に同期する画素にバックライトの光を集中させるということである。
【００２１】
　また、バックライトランプ２３の反射板２７の構造は、光を集中させることができるように、スリット状、あるいは穴があいた形状の開口部を有する円筒構造で形成する。
【００２２】
　また、この時、バックライトユニット２１の作動時にバックライトランプ２３が点灯し、バックライトユニット２１の停止時にバックライトランプ２３が消灯するように実行させる。
【００２３】
　上記方法によって、ブリンクバックライトで理論的にオン状態時間をゲートスキャニング時間まで減らすことができ、動画像のボヤケ（ｂｌｕｒｒｉｎｇ）現象の改善と光の効率を最大化させて輝度向上をなすことができる。
【００２４】
　図５は、本発明による反射板があるブリンクバックライトが、回転駆動装置３１により反射板２７がランプ２３ａから離れて回転することを示している。
【実施例２】
【００２５】
　図６は、本発明の第２の実施例による反射板があるブリンクバックライトの断面図である。
　一方、本発明の第２の実施例として、図６に示すように、バックライトランプ２３ａを固定設置した後に、反射板２７のみを回転させてブリンクバックライトユニットを実現させることもできる。この時、反射板２７の回転速度は、ゲートスキャニング速度と一致させる。
【００２６】
　尚、本発明は、上述の実施例に限られるものではない。本発明の技術的範囲から逸脱しない範囲内で多様に変更実施することが可能である。
【図面の簡単な説明】
【００２７】
【図１】従来技術による液晶表示装置のブリンクバックライトであり、（ａ）は平面図、（ｂ）は（ａ）のＩｂ−Ｉｂ線による断面図である。
【図２】図１の液晶表示装置のブリンクバックライトの駆動原理を説明するための概略図である。
【図３】本発明に係る第１の実施例による反射板があるブリンクバックライトユニットであり、（ａ）は平面図、（ｂ）は（ａ）のＩＩＩｂ−ＩＩＩｂ線による断面図、（ｃ）は（ｂ）のＡ部の拡大断面図である。
【図４】本発明による液晶表示装置のブリンクバックライトユニットにおいて、時間経過による光の方向及びディスプレイ領域の変化を説明するための図である。
【図５】本発明による反射板があるブリンクバックライトの詳細を示す斜視図である。
【図６】本発明の第２の実施例による反射板があるブリンクバックライトの断面図である。
【符号の説明】
【００２８】
　２１　　　　バックライトユニット
　２３、２３ａ　バックライトランプ
　２５　　　　ディスプレイパネル
　２７　　　　反射板
　２９　　　　ディスプレイ領域
【図１】
2004087489.tif 000003
【図２】
2004087489.tif 000004
【図３】
2004087489.tif 000005
【図４】
2004087489.tif 000006
【図５】
2004087489.tif 000007
【図６】
2004087489.tif 000008